(57)【要約】      （修正有）【課題】部品点数を少なくして組立て作業を簡単で容易にでき、コスト低減を図る。【解決手段】化粧キャップ３１が、樹脂からヘッド３２およびスリーブ３３の一体形状に成形され、そのスリーブ３３の先端部分に複数のスリットを円周方向に適宜の間隔を置いて備え、さらに、その一対の爪受け穴１７、１７に対応してそのスリーブ３３の先端に一対の爪３５、３５を備え、そして、ナット４４でそのアームレスト・フレーム１１をアームレスト・シャフト４１に締め付け後、その爪３５、３５をそのナット穴のその突出しノッチに合わせながらそのスリーブ３３をそのナット穴２８に通してそのナット沈み穴１６に差し込み、その爪３５、３５をその爪受け穴１７、１７に引っ掛けてそのアームレスト・フレーム１１に直接取り付けられ、そして、そのヘッド３２でそのナット穴まわりを仕上げる。【選択図】図１
2009298205.tif 000002
【特許請求の範囲】
【請求項１】
アームレスト・フレームが、シャフト穴の外側に連続されて外側のフレーム側面に開口されるナット沈み穴を有し、そして、そのナット沈み穴の所定の箇所に一対の爪受け穴を明け、表皮が、そのナット沈み穴に対応して外側の表皮側面に開口されるナット穴を有し、そして、その一対の爪受け穴に対応してそのナット穴に一対の突出しノッチを付け、パッドが、そのアームレスト・フレームにその表皮を被せた状態で型内でそれらに一体発泡成形され、そして、化粧キャップが、樹脂からヘッドおよびスリーブの一体形状に成形され、そのスリーブの先端部分に複数のスリットを円周方向に適宜の間隔を置いて備え、さらに、その一対の爪受け穴に対応してそのスリーブの先端に一対の爪を備え、そして、ナットでそのアームレスト・フレームをアームレスト・シャフトに締め付け後、その爪をそのナット穴のその突出しノッチに合わせながらそのスリーブをそのナット穴に通してそのナット沈み穴に差し込み、その爪をその爪受け穴に引っ掛けてそのアームレスト・フレームに直接取り付けられ、そして、そのヘッドでそのナット穴まわりを仕上げるところの自動車シートに用いるシート・サイド・アームレスト。
【発明の詳細な説明】
【技術分野】
【０００１】
この発明は、シート・バック・サイドに前倒し位置および立付け位置に揺動可能に取り付けられるところの自動車シートに用いるシート・サイド・アームレストに関する。
【背景技術】
【０００２】
この種の自動車シートに用いるシート・サイド・アームレストでは、外側のアームレスト側面に開口されるナット穴がキャップおよびブッシュの組合せで仕上げられるので、部品点数が多くて組立て作業が厄介になるに加えてそのキャップが硬くてたわみにくいためにそのブッシュを取り付けづらくなった。
【特許文献１】特開２００１−２９９５０３号公報
【発明の開示】
【発明が解決しようとする課題】
【０００３】
この発明の課題は、部品点数を少なくして組立て作業を簡単で容易にでき、外側のアームレスト側面に開口されるナット穴を簡単に仕上げでき、そして、コスト低減を図るところの自動車シートに用いるシート・サイド・アームレストの提供にある。
【課題を解決するための手段】
【０００４】
この発明の自動車シートに用いるシート・サイド・アームレストは、アームレスト・フレームが、シャフト穴の外側に連続されて外側のフレーム側面に開口されるナット沈み穴を有し、そして、そのナット沈み穴の所定の箇所に一対の爪受け穴を明け、表皮が、そのナット沈み穴に対応して外側の表皮側面に開口されるナット穴を有し、そして、その一対の爪受け穴に対応してそのナット穴に一対の突出しノッチを付け、パッドが、そのアームレスト・フレームにその表皮を被せた状態で型内でそれらに一体発泡成形され、そして、化粧キャップが、樹脂からヘッドおよびスリーブの一体形状に成形され、そのスリーブの先端部分に複数のスリットを円周方向に適宜の間隔を置いて備え、さらに、その一対の爪受け穴に対応してそのスリーブの先端に一対の爪を備え、そして、ナットでそのアームレスト・フレームをアームレスト・シャフトに締め付け後、その爪をそのナット穴のその突出しノッチに合わせながらそのスリーブをそのナット穴に通してそのナット沈み穴に差し込み、その爪をその爪受け穴に引っ掛けてそのアームレスト・フレームに直接取り付けられ、そして、そのヘッドでそのナット穴まわりを仕上げるところの構造を採る。
【発明の効果】
【０００５】
この発明では、その化粧キャップがブッシュを省いてそのナット沈み穴においてそのアームレスト・フレームに直接取り付けられ、部品点数が少なくなり、そして、その化粧キャップがそのナット沈み穴にずれ止めされて固定され、また、その化粧キャップのその爪を引っ掛けるそのナット沈み穴のその爪受け穴の位置がその表皮のそのナット穴に付けられたその突出しノッチで一目で分かり、その化粧キャップのその爪がそのナット沈み穴のその爪受け穴に簡単に引っ掛けられ、その化粧キャップの組付けが簡単で組立て作業が簡単で容易になり、その表皮のそのナット穴およびそのナット穴のまわりが簡単に仕上げられ、そして、コストが低減される。
【発明を実施するための最良の形態】
【０００６】
アームレスト・フレームが、シャフト穴の外側に連続されて外側のフレーム側面に開口されるナット沈み穴を有し、そして、そのナット沈み穴の所定の箇所に一対の爪受け穴を明け、表皮が、そのナット沈み穴に対応して外側の表皮側面に開口されるナット穴を有し、そして、その一対の爪受け穴に対応してそのナット穴に一対の突出しノッチを付け、パッドが、そのアームレスト・フレームにその表皮を被せた状態で型内でそれらに一体発泡成形され、そして、化粧キャップが、樹脂からヘッドおよびスリーブの一体形状に成形され、そのスリーブの先端部分に複数のスリットを円周方向に適宜の間隔を置いて備え、さらに、その一対の爪受け穴に対応してそのスリーブの先端に一対の爪を備え、そして、ナットでそのアームレスト・フレームをアームレスト・シャフトに締め付け後、その爪をそのナット穴のその突出しノッチに合わせながらそのスリーブをそのナット穴に通してそのナット沈み穴に差し込み、その爪をその爪受け穴に引っ掛けてそのアームレスト・フレームに直接取り付けられ、そして、そのヘッドでそのナット穴まわりを仕上げる。
【実施例１】
【０００７】
以下、特定されて図示された具体例に基づいて、この発明の自動車シートに用いるシート・サイド・アームレストを説明するに、図１ないし図３は、乗用車のドライバー・シート５０に活用されるところのこの発明の自動車シートに用いるシート・サイド・アームレストの具体例１０を示し、そして、そのドライバー・シート５０は、シート・バック５１のインナー・バック・サイド５３、具体例には、アームレスト・シャフト４１、前倒しストッパー・ピン（図示せず）および、立付けストッパー・ピン４２を備えるブラケット４０を用いてシート・バック・フレーム５２のインナー・フレーム・サイド５３にそのシート・サイド・アームレスト１０を前倒し位置および立付け位置間に揺動可能に取り付けている。そして、そのシート・サイド・アームレスト１０は、そのブラケット４０のそのアームレスト・シャフト４１に回転可能に支持されてその前倒しストッパー・ピンでその前倒し位置に、その立付けストッパー・ピン４２で立付け位置にそれぞれ回り止めされる。
そのアームレスト・シャフト４１は、そのブラケット４０に直接支持され、また、その前倒しストッパー・ピンおよび立付けストッパー・ピン４２は、捕助ブラケット４３に支持され、そして、その補助ブラケット４３がボルト−ナット４５、４６でそのブラケット４０に締め付けられてそのブラケット４０に組み付けられる。
【０００８】
このシート・サイド・アームレスト１０では、アームレスト・フレーム１１が、所定の厚さの鋼板からプレス加工されたインナー・フレーム１２およびアウター・フレーム１３を断面箱形に溶接し、シャフト穴１５の外側に連続されて外側のフレーム側面１４に開口されるナット沈み穴１６を有し、そして、そのナット沈み穴１６の所定の箇所に一対の爪受け穴１７、１７を明け、また、表皮２６が、そのナット沈み穴１６に対応して外側の表皮側面２７に開口されるナット穴２８を有し、そして、その一対の爪受け穴１７、１７に対応してそのナット穴２８に一対の突出しノッチ２９、２９を付け、さらに、パッド３０が、そのアームレスト・フレーム１１にその表皮２６を被せた状態で型内でそれらに一体発泡成形され、またさらに、化粧キャップ３１が、樹脂からヘッド３２およびスリーブ３３に一体形状に成形され、そのスリーブ３３の先端部分に４個のスリット３４、３４、３４、３４を円周方向に等間隔で備え、そして、その一対の爪受け穴１７、１７に対応してそのスリーブ３３の先端に一対の爪３５、３５を備える。
【０００９】
また、このシート・サイド・アームレスト１０において、１８はシャフト穴、１９はピン・ガイド穴、２０はピン・ガイド穴、２１はスリーブ、２２はインナー・カラー、２３はアウター・カラー、２４は平ワッシャー、そして、２５は円すい形スプリング・ワッシャーである。
【００１０】
したがって、このシート・サイド・アームレスト１０では、その化粧キャップ３１は、ナット４４でそのアームレスト・フレーム１１をそのアームレスト・シャフト４１に締め付け後、その爪３５、３５をそのナット穴２８のその突出しノッチ２９、２９に合わせながらそのスリーブ３３をそのナット穴２８を通してそのナット沈み穴１６に差し込み、その爪３５、３５をその爪受け穴１７、１７に引っ掛けてそのアームレスト・フレーム１１に直接取り付けられ、そして、そのヘッド３２でそのナット穴２８およびそのナット穴２８のまわりを仕上げる。
そのように、その化粧キャップ３１がブッシュを省いてそのナット沈み穴１６においてそのアームレスト・フレーム１１に直接取り付けられ、部品点数が少なくなり、そして、その化粧キャップ３１がそのナット沈み穴１６にずれ止めされて固定され、また、その化粧キャップ３１のその爪３５、３５を引っ掛けるそのナット沈み穴１６のその爪受け穴１７、１７の位置がその表皮２６のそのナット穴２８に付けられたその突出しノッチ２９、２９で一目で分かり、その化粧キャップ３１のその爪３５、３５がそのナット沈み穴１６のその爪受け穴１７、１７に簡単に引っ掛けられ、その化粧キャップ３１の組付けが簡単で組立て作業が簡単で容易になり、その表皮２６のそのナット２８およびそのナット穴２８のまわりが簡単に仕上げられ、そして、コストが低減される。
【００１１】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１２】
上述から理解されるように、この発明の自動車シートに用いるシート・サイド・アームレストは、アームレスト・フレームが、シャフト穴の外側に連続されて外側のフレーム側面に開口されるナット沈み穴を有し、そして、そのナット沈み穴の所定の箇所に一対の爪受け穴を明け、表皮が、そのナット沈み穴に対応して外側の表皮側面に開口されるナット穴を有し、そして、その一対の爪受け穴に対応してそのナット穴に一対の突出しノッチを付け、パッドが、そのアームレスト・フレームにその表皮を被せた状態で型内でそれらに一体発泡成形され、そして、化粧キャップが、樹脂からヘッドおよびスリーブの一体形状に成形され、そのスリーブの先端部分に複数のスリットを円周方向に適宜の間隔を置いて備え、さらに、その一対の爪受け穴に対応してそのスリーブの先端に一対の爪を備え、そして、ナットでそのアームレスト・フレームをアームレスト・シャフトに締め付け後、その爪をそのナット穴のその突出しノッチに合わせながらそのスリーブをそのナット穴に通してそのナット沈み穴に差し込み、その爪をその爪受け穴に引っ掛けてそのアームレスト・フレームに直接取り付けられ、そして、そのヘッドでそのナット穴まわりを仕上げるので、この発明の自動車シートに用いるシート・サイド・アームレストでは、その化粧キャップがブッシュを省いてそのナット沈み穴においてそのアームレスト・フレームに直接取り付けられ、部品点数が少なくなり、そして、その化粧キャップがそのナット沈み穴にずれ止めされて固定され、また、その化粧キャップのその爪を引っ掛けるそのナット沈み穴のその爪受け穴の位置がその表皮のそのナット穴に付けられたその突出しノッチで一目で分かり、その化粧キャップのその爪がそのナット沈み穴のその爪受け穴に簡単に引っ掛けられ、その化粧キャップの組付けが簡単で組立て作業が簡単で容易になり、その表皮のそのナット穴およびそのナット穴のまわりが簡単に仕上げられ、そして、コストが低減され、その結果、自動車シートにとって非常に有用で実用的である。
【図面の簡単な説明】
【００１３】
【図１】乗用車のドライバー・シートに活用されるところのこの発明の自動車シートに用いるシート・サイド・フレームの具体例を示した横断面図である。
【図２】表皮のナット穴を示した部分側面図である。
【図３】化粧キャップを示した斜視図である。
【符号の説明】
【００１４】
１１  アームレスト・フレーム
１２  インナー・フレーム
１３  アウター・フレーム
１４  外側のフレーム側面
１５  シャフト穴
１６  ナット沈み穴
１７  爪受け穴
２６  表皮
２７  外側の表皮側面
２８  ナット穴
２９  突出しノッチ
３０  パッド
３１  化粧キャップ
３２  ヘッド
３３  スリーブ
３４  スリット
３５  爪
４０  ブラケット
４１  アームレスト・シャフト
４２  立付けストッパー・ピン
４３  補助ブラケット
５０  ドライバー・シート
５１  シート・バック
５２  シート・バック・フレーム
５３  インナー・フレーム・サイド
【図１】
2009298205.tif 000003
【図２】
2009298205.tif 000004
【図３】
2009298205.tif 000005